(57)【特許請求の範囲】
【請求項１】
外構フェンスの支柱にネジ部材によって固定されると共に、前記支柱に当接され且つ長手方向に沿って延在される固定片と、
棚部材を支持するためのブラケットが装着されると共に、前記固定片に対して面同士が互いに平行に延在するブラケット支持片と、
前記固定片と前記ブラケット支持片とを連結する連結片と、からなり、
前記支柱の長手方向に延在する前記固定片と前記ブラケット支持片と前記連結片とで断面コ字又はロ字状に形成され、
前記ブラケット支持片には、前記ブラケットを固定するための締結部材が装着される取付け孔が前記ブラケット支持片の長手方向に等間隔で設けられると共に、前記ネジ部材の頭部が貫通するネジ覗き穴が前記取付け孔の間に設けられていることを特徴とするライナー部材。
【請求項２】
請求項１に記載のライナー部材が前記支柱に形成された下穴に前記ネジ部材によって固定されていることを特徴とする外構用支柱構造。
【請求項３】
請求項２記載の外構用支柱構造と、隣接する前記支柱に固定された柵部材と、隣接する前記ライナー部材にそれぞれ固定された前記ブラケットと、水平方向に延在して隣接する前記ブラケットに掛け渡して固定された前記棚部材と、を備えたことを特徴とする外構フェンス構造。
【発明の詳細な説明】
【技術分野】
【０００１】
本発明は、通風・採光を損なわずに、外部の視線を遮断するための外構フェンスに適用されるライナー部材、このライナー部材を備えた外構用支柱構造、この外構用支柱構造を備えた外構フェンス構造に関する。
【背景技術】
【０００２】
限られた外部空間を緑化する為には、地盤面だけではなく壁面の緑化が有効である。様々なタイプの壁面緑化技術が開発されているが、概してネットやワイヤーに蔓性の植物を誘引させる場合が多い。この方法は完成すると美しいが、壁面を覆うまでの手間がかかり、しかも絶え間ない誘引のメンテナンスが必要となる。公共建築や大規模民間建築のような管理者がいる場合はよいが、個人住宅等の小規模建築では維持が困難である。
一方、従来より壁面に支持金物等で棚板を取り付け、そこに植木鉢を置くことが行われてきた。これによれば、上記の壁面緑化技術と比較しても簡便である。また、必要な部分に植木鉢やプランタボックスを置き季節に応じて置き換えを行うことが可能である。また、一年草のような観賞期間が短い植物や家庭菜園を短期間だけ楽しむことも可能である。しかし、この支持金物等は、その構造からブロック塀、組積造（レンガ・石積）塀、木板塀等に用いるのが一般的で、通風や採光を確保できる工業製品である鋼製やアルミ製のフェンスなどへの設置が困難であったため、あまり普及していなかった。
どころが、近年、ブロック塀、組積造（レンガ・石積）塀、木板塀等ではなく、通気や採光を可能にする外構フェンスに棚板を設置したいという要望が強くなっている。
ここで、外構フェンスに植栽を施すものとして、実公昭６１−９４１４９号公報、特開２００１−２０５６６号公報、特許２６５２９１６号公報が開示されている。
【先行技術文献】
【特許文献】
【０００３】
【特許文献１】実公昭６１−９４１４９号公報
【特許文献２】特開２００１−２０５６６号公報
【特許文献３】特許２６５２９１６号公報
【発明の概要】
【発明が解決しようとする課題】
【０００４】
しかしながら、前述した実公昭６１−９４１４９号公報、特開２００１−２０５６６号公報、特許２６５２９１６号公報に開示されている技術は、もともと既存の外構フェンスに対して棚板を取り付ける構造になっておらず、後付けで棚板を外構フェンスに固定させることができない。更に、棚板上に植木鉢やプランタボックスを載せた際、既存の外構フェンスの支柱は、植木鉢やプランタボックスの重量を支えることを当初予定して設計、製造されているわけではないため、強風や地震の影響で曲がり易くなり、折れてしまう虞がある。特に支柱の高さが高い場合には、このような問題が起こり易い。
【０００５】
本発明は、外構フェンスの支柱の主に曲げ強度のアップを図って、棚部材の容易な後付けをも可能にしたライナー部材、このようなライナー部材を備えた外構用支柱構造、この外構用支柱構造を備えた外構フェンス構造を提供することを目的とする。
【課題を解決するための手段】
【０００６】
本発明は、外構フェンスの支柱にネジ部材によって固定されると共に、支柱に当接され且つ長手方向に沿って延在される固定片と、棚部材を支持するためのブラケットが装着されると共に、固定片に対して面同士が互いに平行に延在するブラケット支持片と、固定片とブラケット支持片とを連結する連結片と、からなり、支柱の長手方向に延在する固定片とブラケット支持片と連結片とで断面コ字又はロ字状に形成され、ブラケット支持片には、ブラケットを固定するための締結部材が装着される取付け孔がブラケット支持片の長手方向に等間隔で設けられると共に、ネジ部材の頭部が貫通するネジ覗き穴が取付け孔の間に設けられていることを特徴とする。
【０００７】
このライナー部材は、支柱の長手方向に沿って延在するようにセットされる固定片と、棚部材を支持するためのブラケット支持片と、固定片とブラケット支持片とを水平方向で平行に離間させた状態で連結させる連結片と、で立体構造をなしているので、固定片をネジ部材により支柱に固定させると、外構フェンスの支柱をライナー部材によって補強することができる。また、このライナー部材は、既存の外構フェンスの支柱に後付けでも施工可能である。既存の外構フェンスの支柱は、植木鉢やプランタボックスの重量を支えることは当初予定されておらず、植木鉢やプランタボックスの重量は支柱で支えられることからして、支柱が強風や地震の影響で曲がったり折れたりし易くなるので、支柱の曲げ強度のアップは必要であり、本発明は、これを実現している。特に、植木鉢やプランタボックスを載せた状態の棚部材が設置された支柱は、その高さが高ければ高いほど曲がり易くなっているので、このライナー部材による支柱の補強は効果的である。
【０００８】
このような構成を採用すると、断面コ字又はロ字状のライナー部材であっても、ネジ部材によってライナー部材を支柱に取り付ける作業と、締結部材によってブラケットをブラケット支持片に取り付けると作業とを同じ側から行うことができるので、作業性が良好になる。
【０００９】
本発明に係る外構用支柱構造は、請求項１又は２記載のライナー部材が支柱に形成された下穴にネジ部材によって固定されていることを特徴とする。
【００１０】
本発明に係る外構フェンス構造は、請求項３記載の外構用支柱構造と、隣接する支柱に固定された柵部材と、隣接するライナー部材にそれぞれ固定されたブラケットと、水平方向に延在して隣接するブラケットに掛け渡して固定された棚部材と、を備えたことを特徴とする。
【発明の効果】
【００１１】
本発明によれば、外構フェンスの支柱の主に曲げ強度のアップを図って、棚部材の容易な後付けをも可能にしている。
【図面の簡単な説明】
【００１２】
【図１】本発明に係る外構フェンス構造の一実施形態を示す斜視図である。
【図２】本発明に係るライナー部材を支柱に固定した状態を示す正面図である。
【図３】図１のIII−III線に沿う断面図である。
【図４】図３のＩＶ−ＩＶ線に沿う断面である。
【図５】外構フェンスに他のブラケットが取り付けられた状態を示す断面図である。
【図６】ライナー部材の第１の変形例を示し、（ａ）は横断面図、（ｂ）は、支柱にライナー部材を固定した状態を示す正面図である。
【図７】ライナー部材の第２の変形例を示し、（ａ）は横断面図、（ｂ）は、支柱にライナー部材を固定した状態を示す正面図である。
【図８】ライナー部材の第３の変形例を示し、（ａ）は横断面図、（ｂ）は、支柱にライナー部材を固定した状態を示す正面図である。
【発明を実施するための形態】
【００１３】
以下、図面を参照しつつ本発明に係るライナー部材、外構用支柱構造及び外構フェンス構造の好適な実施形態について詳細に説明する。
【００１４】
アルミ材又はスチール材からなる外構フェンスは、通常、高さ６００〜１５００ｍｍであるが、図１に示すように、一般的にスクリーンと呼ばれている外構フェンス１は、高さ１８００〜２７００ｍｍを有している。外構フェンス１は、建築物が建設される敷地の境界線上で等間隔に配置される断面矩形で中空状の支柱２と、支柱２に固定された柵部材３とを備えている。この柵部材１０には、支柱２に固定される横桟１０ａに対して等ピッチで、縦桟１０ｂが配列されている。
【００１５】
図１〜図４に示すように、外構フェンス１の支柱２には、アルミ材又はスチール材からなる長尺状のライナー部材５が固定されている。断面ロ字状に形成されているライナー部材５は、外構フェンス１の支柱２にタッピングネジ（ネジ部材）６によって固定されると共に、支柱２に当接され且つ長手方向（鉛直方向）に沿って延在される固定片７と、棚部材１０を支持するためのブラケット２０が装着されると共に、固定片７に対して面同士が互いに対面して平行に延在するブラケット支持片８と、固定片７とブラケット支持片８とを連結する左右一対の連結片９と、からなる。
【００１６】
ライナー部材５の固定片７には、等間隔にネジ挿入孔７ａが形成されている。ライナー部材５を支柱２に固定する際、固定片７を支柱２の表面に押し当てた状態で、現場でドリルによりネジ挿入孔７ａを介して支柱２に下穴を形成し、その後、ネジ挿入孔７ａからタッピングネジ６に差し込んで、支柱２にタッピングネジ６を螺着させる。これによって支柱２にライナー部材５が固定される。なお、支柱２には、工場で予め下穴加工が施されていてもよい。
【００１７】
また、ライナー部材５のブラケット支持片８には、ブラケット２０を固定するための締結部材１２が装着される取付け孔１３がブラケット支持片８の長手方向に等間隔で設けられる。更に、ブラケット支持片８には、タッピングネジ６の頭部６ａが貫通するネジ覗き穴１４が取付け孔１３の間に設けられている。このネジ覗き穴１４は、ネジ挿入孔７ａに対向し、ブラケット２０の取付けの邪魔にならないように、タッピングネジ６の頭部６ａをブラケット支持片８から突出させることがない。そして、取付け孔１３を等間隔に維持するために、ブラケット２０の取付けネジ覗き穴１４と取付け孔１３とは、互いに同じ位置を避けて重ならないようになっている。
【００１８】
棚部材３を外構フェンス１に取付け可能にする断面Ｔ字状のブラケット２０は、水平方向に延在して棚部材３を下から支持する棚支持片２１と、棚支持片２１の基端から下方に向けて延在する脚片２２と、棚支持片２１の基端から上方に向けて延在する脚延長片２３とからなる。脚片２２には、ネジ挿通孔２２ａが設けられ、脚延長片２３にもネジ挿通孔２３ａが設けられ、上側のネジ挿通孔２３ａと下側のネジ挿通孔２２ａの間隔はブラケット支持片８に形成されている取付け孔１３の間隔と等しくなっている。
【００１９】
また、棚支持片２１には、棚部材３を固定するための取付け孔２１ａが形成されている。棚部材３は、一定間隔で平行に配列された複数の棚桟３ａと、棚桟３ａを互いに連結する連結桟３ｂと、からなる。そして、取付け孔２１ａは、棚桟３ａの間に位置するように棚支持片２１に形成されている。
【００２０】
組立て時にドライバ等の工具を利用しない締結部材１２は、円柱状の軸部１２ａと、軸部１２ａの先端側に設けられた雄ねじ部１２ｂと、軸部１２ａの基端側に設けられた円形の握り部１２ｃと、からなる手回しネジである。雄ねじ部１２ｂは、タッピングネジとして形成され、各取付け孔１３，２１ａに螺着される。この場合、状況に応じて軸部１２ａの長さの異なる３種類の手回しネジ１２Ａ，１２Ｂ，１２Ｃが利用されている。
【００２１】
ブラケット２０をライナー部材５に取り付けるにあたって、ライナー部材５の所望の高さ位置にある取付け孔１３を利用者が選択し、手回しネジ１２Ａ，１２Ｂの雄ねじ部１２ｂを取付け孔１３に螺着させることによって、ブラケット２０の脚片２２及び脚延長片２３がライナー部材５に固定される。また、棚部材３をブラケット２０に取り付けるにあたっては、棚部材３の棚桟３ａの間に差し込まれた手回しネジ１２Ｃによって、棚支持片２１に棚部材３が固定される。図１に示すように、棚部材３は、隣接する支柱２のそれぞれの任意の位置に固定されたブラケット２０を掛け渡すように水平にセットされる。利用者の希望に応じた任意の段数の棚部材３を外構フェンス１にセットすることができ、この棚部材３上には、植木鉢Ｈが置かれ、場合によっては、プランタボックスが置かれることもある。
【００２２】
日照や通風が確保し易い外構フェンス１にあっては、固定片７をタッピングネジ（ネジ部材）６により支柱２に固定させると、外構フェンス１の支柱２をライナー部材５で補強することができ、既存の外構フェンス１の支柱２にライナー部材５は後付けでも施工可能である。既存の外構フェンス１の支柱２は、植木鉢Ｈやプランタボックスの重量を支えることは当初予定されておらず、植木鉢Ｈやプランタボックスの重量は支柱２で支えられることからして、支柱２が強風や地震の影響で曲がったり折れたりし易くなるので、支柱２の曲げ強度のアップは必要であり、ライナー部材５の採用は、これを実現している。特に、外構フェンス１の高さが高ければ高いほど、植木鉢Ｈやプランタボックスを棚部材３上に載せた場合に、支柱２は曲がり易く、支柱２の補強は効果的である。
【００２３】
また、ブラケット支持片８に、タッピングネジ６の頭部６ａが貫通するネジ覗き穴１４が取付け孔１３の間に設けられていると、断面ロ字状のライナー部材５であっても、タッピングネジ６によってライナー部材５を支柱２に取り付ける作業と、手回しネジ１２Ａ，１２Ｂによってブラケット２０をブラケット支持片８に取り付けると作業とを同じ側から行うことができるので、容易な施工が可能になる。
【００２４】
本発明は、前述した実施形態に限定されないことは言うまでもない。
【００２５】
図５に示すように、他のブラケット３０には、ブラケット２０のような脚延長片２３が設けられておらず、脚片２２には、棚支持片２１の近くに別のネジ挿通孔３０ａが設けられ、小型の手回しネジ１２Ｄと大型の手回しネジ１２Ａによって脚片２２はライナー部材５に固定される。
【００２６】
図６に示すように、断面コ字状のライナー部材３５の適用も可能である。このライナー部材３５には、ライナー部材５と同様のネジ覗き穴１４及び取付け孔１３が設けられている。
【００２７】
図７に示すように、断面ハット形状のライナー部材３６の適用も可能である。このライナー部材３６には、ブラケット支持片３７と、このブラケット支持片３７の両端から直角方に延在する連結片３８と、各連結片３８からフランジ状に延在する固定片３９と、からなる。そして、固定片３９には、タッピングネジ６の挿入を可能にするネジ挿入孔３９ａが形成され、ブラケット支持片３７には、手回しネジ１２Ａ，１２Ｂの螺着を可能にする取付け孔３７ａが形成されている。
【００２８】
図８に示すように、断面Ｚ形状のライナー部材４０の適用も可能である。このライナー部材４０には、ブラケット支持片４１と、このブラケット支持片４１の一端から直角に延在する連結片４２と、連結片４２からフランジ状に延在する固定片４３と、からなる。そして、固定片４３には、タッピングネジ６の挿入を可能にするネジ挿入孔４３ａが形成され、ブラケット支持片４１には、手回しネジ１２Ａ，１２Ｂの螺着を可能にする取付け孔４１ａが形成されている。
【００２９】
前述した支柱２は、中空に限らず中実であってもよく、断面円形又は楕円形であってもよい(図示なし)。この場合は、ライナー部材５，３５，３６，４０の固定片７，３９，４３は、断面円形又は楕円形の適応した断面凹状に成形したものを採用することが好ましいが、弾性のあるパッキン材等を挟んで固定の程度を上げることでもよい。
【００３０】
棚部材３としては、棚板にルーズホールを１列又は複数列設けたものであってもよい。
【００３１】
ライナー部材５，３５，３６，４０にブラケット２０，３０を固定するための締結部材１２（１２Ａ，１２Ｂ，１２Ｄ）としては、ブラケット２０の脚片２２からＬ字状のフック片（不図示）を突出させたものであってもよい。このフック片は、ライナー部材５の取付け孔１３，３７ａ，４１ａに引っ掛けられる。取付け孔１３，３７ａ，４１ａは、フック片の形状に合わせてスリット状にしてもよい。
【００３２】
また、締結部材１２（１２Ａ，１２Ｂ，１２Ｃ，１２Ｄ）の他の例として、ドライバを利用する一般的なタッピングネジであってもよい。
【符号の説明】
【００３３】
１…外構フェンス、２…支柱、３…棚部材、５，３５，３６，４０…ライナー部材、６…タッピングネジ（ネジ部材）６、６ａ…ネジ部材の頭部、７，３９，４３…固定片、７ａ…ネジ挿入孔、８，３７，４１…ブラケット支持片、９，３８，４２…連結片、柵部材…１０、１２…手回しネジ（締結部材）、１３，３７ａ，４１ａ…取付け孔、１４…ネジ覗き穴、２０，３０…ブラケット。
【図１】
0005661411.tif 000002
【図２】
0005661411.tif 000003
【図３】
0005661411.tif 000004
【図４】
0005661411.tif 000005
【図５】
0005661411.tif 000006
【図６】
0005661411.tif 000007
【図７】
0005661411.tif 000008
【図８】
0005661411.tif 000009